(57)【特許請求の範囲】
【請求項１】
オリジナル楽曲のアナログオ−デイオ信号をＡ／Ｄ変換してデジタルデ−タ列を生成するステツプと、
デイスクの記録領域に、
楽曲を含むデ−タの単位を１つのオ−デイオタイトルとし、再生装置が複数のオ−デイオタイトルにアクセスして楽曲を連続して再生する単位を１つのタイトルグル−プとして、
第１〜第（ｎ−１）番に設けられ、前記オリジナル楽曲を含む第１のオ−デイオタイトルであつて、複数のオ−デイオオブジエクト（ＡＯＢ）を含む第１のオ−デイオタイトルにより構成された１以上の第１のタイトルグル−プと、
所望時に最終のｎ番目に設けられ、ボ−ナス情報を含む第２のオ−デイオタイトルであつて、複数のオ−デイオオブジエクト（ＡＯＢ）を含む第２のオ−デイオタイトルにより構成された１つの第２のタイトルグル−プと、
前記ボ−ナス情報の第２のタイトルグル−プにアクセスするためのデ−タとして、また、前記ボ−ナス情報の第２のタイトルグル−プが存在しないことを示すためのデ−タとしてのインタラクテイブデ−タと、
再生装置が前記オ−デイオタイトルをサ−チするためのサ−チポインタと、
スチルピクチヤセツト（ＳＰＳ）とを有し、
前記オ−デイオオブジエクト（ＡＯＢ）が、実デ−タとしてオ−デイオデ−タを有する第１のパツクのみにより構成された第１のオ−デイオオブジエクト（ＡＯＢ）と、前記第１のパツク、及び実デ−タとして前記オ−デイオデ−タに関するリアルタイムインフオメ−シヨンデ−タを有する第２のパツクにより構成された第２のオ−デイオオブジエクト（ＡＯＢ）の２種類で構成され、
さらに、前記スチルピクチヤセツト（ＳＰＳ）が前記オ−デイオデ−タに関するスチルピクチヤデ−タを含む第３のパツクを有し、
前記複数のオ−デイオオブジエクト（ＡＯＢ）がその再生順に再生されるための制御情報（ＡＴＳ−ＰＧＣＩＴ）を含むオ−デイオタイトルセツト・インフオメ−シヨン（ＡＴＳＩ）を有し、
このオ−デイオタイトルセツト・インフオメ−シヨン（ＡＴＳＩ）は、前記スチルピクチヤセツト（ＳＰＳ）内のスチルピクチヤデ−タをペ−ジ制御する制御情報であつてスチルピクチヤデ−タのペ−ジめくり再生モ−ドを含むスチルピクチャ制御情報（ＳＰＣＩＴ）を有し、
前記スチルピクチャ制御情報（ＳＰＣＩＴ）は、さらに、ペ−ジめくり制御処理デ−タであるペ−ジめくりコマンドを収めたスチルピクチヤ・ペ−ジ制御コマンド・インフオメ−シヨン（ＳＰＰＩ）を有してなる、
デ−タ構造にフオ−マツト化されて、記録するステツプと、
からなるエンコ−ド方法。
【請求項２】
請求項１に記載のエンコ−ド方法により記録された信号の再生装置であつて、
前記ボ−ナス情報にアクセスするためのインタラクテイブデ−タを入力する入力手段と、
前記入力インタラクテイブデ−タと関係なく前記サ−チポインタに基づいて第１のタイトルグル−プにアクセスして前記オリジナル楽曲のオ−デイオデ−タを無条件に再生すると共に、前記入力インタラクテイブデ−タと前記記録されたインタラクテイブデ−タが一致した場合に前記サ−チポインタに基づいて第２のタイトルグル−プにアクセスして前記ボ−ナス情報を再生する再生手段と、
前記記録されたスチルピクチヤデ−タをペ−ジ制御するスチルピクチャ制御情報（ＳＰＣＩＴ）をデコ−ドしてスチルピクチヤ・ペ−ジ制御コマンド・インフオメ−シヨン（ＳＰＰＩ）を取り出す第１のデコ−ド手段と、
前記記録されたスチルピクチヤセツト（ＳＰＳ）に配置される第３のパツクからスチルピクチヤデ−タをデコ−ドする第２のデコ−ド手段と、
前記再生時に少なくとも前記第１のデコ−ド手段から取り出されたスチルピクチヤ・ペ−ジ制御コマンド・インフオメ−シヨン（ＳＰＰＩ）に基づいて、ペ−ジめくり再生モ−ドのとき、前記第２のデコ−ド手段で取り出されたスチルピクチヤデ−タを、ペ−ジめくり制御して出力する出力手段とを、
有する再生装置。
【発明の詳細な説明】
【０００１】
【発明の属する技術分野】
本発明は、マルチチャネルの音声信号のエンコード方法及び再生装置に関する。
【０００２】
【従来の技術】
ＤＶＤ（デジタル・ビデオ・ディスク、デジタル・バーサタイル・ディスク）は、ＣＤ（コンパクトディスク）と比べて大容量であるので、音楽などのオーディオディスクとしても着目されている。しかしながら、ＤＶＤはＣＤより高密度記録が可能であり、記録時間に余裕があるので、これを音楽の記録媒体としてどのように利用するかが課題とされている。例えば音楽ソースとしてオリジナルの楽曲の他に、そのカラオケやＢＧＭとして選択的に再生することができればユーザにとって楽しみ方が広がる。また、ユーザが何度も再生操作を行うにしたがって楽しみ方が広がるような利用方法が望まれる。
【０００３】
そこで、本発明者は先の出願（特願平９−１７６５１７号）において、ディスク製作者がディスクを多種多様な方法で利用することができ、また、ユーザが多種多様な再生を行うことができるようにするために、１以上の楽曲と、楽曲に関するボーナス情報と、ボーナス情報にアクセスするためのインタラクティブデータ（パスワード）をＤＶＤオーディオディスクに記録し、再生側で正しいパスワードが入力した場合にボーナス情報の再生を許可する方法を提案している。
【０００４】
この方法によれば、例えばオリジナルの楽曲と、その楽曲に関するボーナス情報としてカラオケ、ＢＧＭ、ＭＩＤＩ、録音時の練習音声などのデータを記録し、オリジナルの楽曲は無料で再生を許可するが、ボーナス情報はユーザが対価の支払いを条件で知得した暗証番号をインタラクティブデータとして入力した場合に再生を許可するような利用形態が考えられる。また、オリジナルの楽曲は無条件で再生を許可するが、ボーナス情報はユーザに対してクイズを映像手段を介して出題し、ユーザが正解をインタラクティブデータとして入力された場合に再生を許可するような利用形態が考えられる。
【０００５】
また、本発明者は同出願において、１以上の楽曲をグループ分けしてグループ毎に再生するためのプログラムと、楽曲をグループ毎にアクセスするためのインタラクティブデータ（パスワード）をＤＶＤオーディオディスクに記録し、入力インタラクティブデータと伝送されたパスワードが一致したグループの楽曲の再生を許可する方法を提案している。
【０００６】
この方法によれば、例えばオリジナルの楽曲グループと、演奏方法や歌い方を変えた楽曲グループなどにグループ化したり、オリジナルの楽曲グループと、カラオケ、ＢＧＭ、ＭＩＤＩなどの各楽曲にグループ分けして記録する。そして、ユーザがパスワードとして無償で知得したグループ番号や、対価の支払いを条件で知得したグループ毎の暗証番号を入力した場合にそのグループの再生を許可するような利用形態が考えられる。
【０００７】
【発明が解決しようとする課題】
（１）しかしながら、上記のようにディスク製作者がディスクを多種多様な方法で利用することができ、また、ユーザが多種多様な再生を行うことができるようにすると、ディスク製作者にとってどのディスクにボーナス楽曲を記録したか又は記録しなかったかを管理することが容易でなくなるという問題が発生し、また、ユーザにとってどのディスクにボーナス楽曲が記録されているか又は記録されていないかを簡単に知得することができないという問題が発生する（第１の問題点）。
【０００８】
（２）また、オリジナルの楽曲とボーナス楽曲をディスク上に混在して記録したり、オリジナルの楽曲を含む１以上の楽曲をグループ分けしてディスク上に混在して記録すると、再生装置側ではオリジナルの楽曲を再生する場合に通常のディスクと同様な高速で再生することができないという問題が発生する（第２の問題点）。
【０００９】
また、ディスクに記録されたデータばかりでなく、通信回線を介して伝送されてデータを再生装置、つまり、受信装置側で再生する場合も、同様の問題があり、本発明では、前記の問題を解決した音声信号のエンコード方法及び再生装置を提供することにある。
【００１０】
【課題を解決するための手段】
本発明は、以下の手段より成るものである。
すなわち、
【００１１】
１）オリジナル楽曲のアナログオ−デイオ信号をＡ／Ｄ変換してデジタルデ−タ列を生成するステツプと、
デイスクの記録領域に、
楽曲を含むデ−タの単位を１つのオ−デイオタイトルとし、再生装置が複数のオ−デイオタイトルにアクセスして楽曲を連続して再生する単位を１つのタイトルグル−プとして、
第１〜第（ｎ−１）番に設けられ、前記オリジナル楽曲を含む第１のオ−デイオタイトルであつて、複数のオ−デイオオブジエクト（ＡＯＢ）を含む第１のオ−デイオタイトルにより構成された１以上の第１のタイトルグル−プと、
所望時に最終のｎ番目に設けられ、ボ−ナス情報を含む第２のオ−デイオタイトルであつて、複数のオ−デイオオブジエクト（ＡＯＢ）を含む第２のオ−デイオタイトルにより構成された１つの第２のタイトルグル−プと、
前記ボ−ナス情報の第２のタイトルグル−プにアクセスするためのデ−タとして、また、前記ボ−ナス情報の第２のタイトルグル−プが存在しないことを示すためのデ−タとしてのインタラクテイブデ−タと、
再生装置が前記オ−デイオタイトルをサ−チするためのサ−チポインタと、
スチルピクチヤセツト（ＳＰＳ）とを有し、
前記オ−デイオオブジエクト（ＡＯＢ）が、実デ−タとしてオ−デイオデ−タを有する第１のパツクのみにより構成された第１のオ−デイオオブジエクト（ＡＯＢ）と、前記第１のパツク、及び実デ−タとして前記オ−デイオデ−タに関するリアルタイムインフオメ−シヨンデ−タを有する第２のパツクにより構成された第２のオ−デイオオブジエクト（ＡＯＢ）の２種類で構成され、
さらに、前記スチルピクチヤセツト（ＳＰＳ）が前記オ−デイオデ−タに関するスチルピクチヤデ−タを含む第３のパツクを有し、
前記複数のオ−デイオオブジエクト（ＡＯＢ）がその再生順に再生されるための制御情報（ＡＴＳ−ＰＧＣＩＴ）を含むオ−デイオタイトルセツト・インフオメ−シヨン（ＡＴＳＩ）を有し、
このオ−デイオタイトルセツト・インフオメ−シヨン（ＡＴＳＩ）は、前記スチルピクチヤセツト（ＳＰＳ）内のスチルピクチヤデ−タをペ−ジ制御する制御情報であつてスチルピクチヤデ−タのペ−ジめくり再生モ−ドを含むスチルピクチャ制御情報（ＳＰＣＩＴ）を有し、
前記スチルピクチャ制御情報（ＳＰＣＩＴ）は、さらに、ペ−ジめくり制御処理デ−タであるペ−ジめくりコマンドを収めたスチルピクチヤ・ペ−ジ制御コマンド・インフオメ−シヨン（ＳＰＰＩ）を有してなる、
デ−タ構造にフオ−マツト化されて、記録するステツプと、
からなるエンコ−ド方法。
２）請求項１に記載のエンコ−ド方法により記録された信号の再生装置であつて、
前記ボ−ナス情報にアクセスするためのインタラクテイブデ−タを入力する入力手段と、
前記入力インタラクテイブデ−タと関係なく前記サ−チポインタに基づいて第１のタイトルグル−プにアクセスして前記オリジナル楽曲のオ−デイオデ−タを無条件に再生すると共に、前記入力インタラクテイブデ−タと前記記録されたインタラクテイブデ−タが一致した場合に前記サ−チポインタに基づいて第２のタイトルグル−プにアクセスして前記ボ−ナス情報を再生する再生手段と、
前記記録されたスチルピクチヤデ−タをペ−ジ制御するスチルピクチャ制御情報（ＳＰＣＩＴ）をデコ−ドしてスチルピクチヤ・ペ−ジ制御コマンド・インフオメ−シヨン（ＳＰＰＩ）を取り出す第１のデコ−ド手段と、
前記記録されたスチルピクチヤセツト（ＳＰＳ）に配置される第３のパツクからスチルピクチヤデ−タをデコ−ドする第２のデコ−ド手段と、
前記再生時に少なくとも前記第１のデコ−ド手段から取り出されたスチルピクチヤ・ペ−ジ制御コマンド・インフオメ−シヨン（ＳＰＰＩ）に基づいて、ペ−ジめくり再生モ−ドのとき、前記第２のデコ−ド手段で取り出されたスチルピクチヤデ−タを、ペ−ジめくり制御して出力する出力手段とを、
有する再生装置。
【００１２】
【発明の実施の形態】
以下、図面を参照して本発明の実施の形態を説明する。
図１は本発明が適用される情報記録媒体の第１の実施形態としてのＤＶＤ−オーディオディスクのフォーマットを示す説明図である。
【００１３】
本発明が適用される情報記録媒体の第１の実施形態として図１に示すＤＶＤ−オーディオディスクのフォーマットでは、ＡＴＳ−Ｄ（オーディオ・タイトルセット−ディレクトリ）の下に、ＳＡＭＧ（ストラクチャ・オブ・シンプル・オーディオ・マネージャ／Structure of Simple Audio Manager）と、ＡＭＧ（オーディオ・マネージャ）と、ＳＰＳ（スチル・ピクチャ・セット）と、ＡＭＧ内のＡＭＧＩにより管理される複数（ｍ個）のＡＴＳ＜１＞〜ＡＴＳ＜ｍ＞が設けられる。ＳＡＭＧはＡＴＳ＜１＞〜ＡＴＳ＜ｍ＞の頭出しのためのＳＡＰＰテーブル（ＴＯＣ）が繰り返し８回記述される領域である。この領域は１つの独立したファイルとして定義できる。
【００１４】
ＡＭＧはＡＭＧインフォメーション（ＡＭＧＩ）と、ＡＭＧメニュー（ＡＭＧＭ）とバックアップＡＭＧＩ（ＡＭＧＩ−ＢＵＰ）を含み、ＡＭＧＩ（及びＡＭＧＩ−ＢＵＰ）は図２に詳しく示すＡＭＧＩマネージメント・テーブル（ＡＭＧＩ−ＭＡＴ）を含む。ＡＭＧＩ−ＭＡＴはボーナス情報にアクセスするためのインタラクティブデータ（パスワード）を含み、このパスワードは例えば４桁の数字又は符号等で表される。そして、例えばパスワード＝００００の場合にはボーナス情報が設けられていないことを示し、パスワード＝００００でない場合にはボーナス情報が設けられていることを示し、かつ実際のパスワードを示す。ＳＰＳ（スチル・ピクチャ・セット）は静止画データを含む。
【００１５】
ＡＴＳ＜１＞〜ＡＴＳ＜ｍ＞は、通常の楽曲（以下、非ボーナス楽曲）のオーディオデータ、ボーナス楽曲としてカラオケ音楽、ＢＧＭなどのオーディオデータの他、オーディオデータ以外の、例えばカラオケのスーパー字幕、ＭＩＤＩコード、クイズデータを含む。このＡＴＳの構成はディスク制作者の自由であり、上記の非ボーナス楽曲とボーナス楽曲は任意のＡＴＳ内に配置される。
【００１６】
ＡＭＧＩは図２に詳しく示すように、
・オーディオ・マネージャ・インフォメーション・マネージメント・テーブル（ＡＭＧＩ−ＭＡＴ）と、
・オーディオ・タイトル・サーチ・ポインタ・テーブル（ＡＴＴ−ＳＲＰＴ）と、
・オーディオ・オンリ・タイトル・サーチ・ポインタ・テーブル（ＡＯＴＴ−ＳＲＰＴ）と、
・オーディオ・マネージャ・メニュー・ＰＧＣＩユニット・テーブル（ＡＭＧＭ−ＰＧＣＩ−ＵＴ）と、
・オーディオ・テクスト・データ・マネージャ（ＡＴＸＴＤＴ−ＭＧ）とを、  有する。
【００１７】
ＡＯＴＴ−ＳＲＰＴは、
・オーディオ・オンリ・タイトル・サーチ・ポインタ・テーブル・インフォメーション（ＡＯＴＴ−ＳＲＰＴＩ）と、
・複数のオーディオ・オンリ・タイトル・サーチ・ポインタ（ＡＯＴＴ−ＳＲＰｓ）とを、
有する。
ＡＯＴＴ−ＳＲＰＴＩは図３に詳しく示すように４バイトで構成され、
・２バイトのオーディオ・オンリ・タイトル・サーチ・ポインタの数（ＡＯＴＴ−ＳＲＰ−Ｎｓ）と、
・２バイトのオーディオ・オンリ・タイトル・サーチ・ポインタ・テーブルのエンドアドレス（ＡＯＴＴ−ＳＲＰＴ−ＥＡ）とを、
有する。
【００１８】
図２に示した複数のＡＯＴＴ−ＳＲＰｓの各々は、図４に詳しく示すように１２バイトで構成され、
・１バイトのオーディオ・タイトル・カテゴリ（ＡＴＴ−ＣＡＴ）と、
・１バイトの、ＡＯＴＴ内のプログラム数（ＡＯＴＴ−ＰＧ−Ｎｓ）と、
・４バイトの、ＡＯＴＴのトータルプレイバックタイム（ＡＯＴＴ−ＰＢ−ＴＭ）と、
・１バイトのＡＴＳの番号（ＡＴＳＮ）と、
・１バイトの、ＡＴＳのタイトル番号（ＡＴＳ−ＴＴＮ）と、
・４バイトの、ＡＴＳのスタートアドレス（ＡＴＳ−ＳＡ）とを、
有する。
【００１９】
オーディオ・タイトル・カテゴリ（ＡＴＴ−ＣＡＴ）は図５に詳しく示すように、
・１ビット（ｂ７）のＡＯＴＴ有無エリアと、
・３ビット（ｂ６〜ｂ４）の保留エリアと、
・４ビット（ｂ３〜ｂ０）の、このＡＯＴＴが属するＡＯＴＴグループ番号（ＡＯＴＴ−ＧＲＮ）とを、
有する。
ただし、ＡＯＴＴ有無ビットｂ７＝０ｂ：ＡＯＴＴ無し＝１ｂ：ＡＯＴＴ有り
【００２０】
図４に示した４バイトの、ＡＯＴＴのトータルプレイバックタイム（ＡＯＴＴ−ＰＢ−ＴＭ）は、このＡＯＴＴのトータルプレゼンテーションタイム（再生出力時間）を１ビット当たり１／９００００（秒）で表す。
【００２１】
図１に示したＡＴＳ＜１＞〜ＡＴＳ＜ｍ＞の各々は、図６に詳しく示すように、先頭から順に
・ＡＴＳＩ（ＡＴＳインフォメーション）と、
・図７に詳しく示すオーディオ・オンリ・タイトル用オーディオ・オブジェクト・セット（ＡＯＴＴ−ＡＯＢＳ）と、
・バックアップ用ＡＴＳＩとにより構成されている。
ＡＴＳＩは先頭から順に
・ＡＴＳＩ−ＭＡＴ（ＡＴＳＩマネージメント・テーブル）と、
・図８〜図１４に詳しく示すＡＴＳ−ＰＧＣＩＴ（ＡＴＳプログラム・チェーン・インフォメーション・テーブル）とにより構成されている。
【００２２】
ＡＯＴＴ−ＡＯＢＳは図７に詳しく示すように、複数のオーディオ・オンリ・タイトル用のオーディオ・オブジェクト（ＡＯＴＴ−ＡＯＢ）により構成されている。
ＡＯＴＴ−ＡＯＢの各々は複数のプログラム（ＰＧ）により構成され、プログラムの各々は複数のセル（ＡＴＳ−Ｃ）により構成されている。ＡＯＴＴ−ＡＯＢは、図７（１）に詳しく示すようにオーディオデータのみを含むものと、図７（２）に詳しく示すようにオーディオデータ及びリアル・タイム・インフォメーション・データ（ＲＴＩデータ）を含むものの２種類のＡＯＴＴ−ＡＯＢにより構成されている。
そして、１枚のディスク中や１曲中に１種類以上のＡＯＴＴ−ＡＯＢが配置される。
【００２３】
オーディオデータのみを含む第１のＡＯＴＴ−ＡＯＢの各プログラムは複数のオーディオセル（ＡＴＳ−Ｃ）により構成され、このオーディオセルは複数のオーディオパックのみにより構成されている。オーディオデータ及びＲＴＩデータを含む第２のＡＯＴＴ−ＡＯＢの各プログラムは複数のオーディオセル（ＡＴＳ−Ｃ）により構成され、このオーディオセルは２番目のパック位置に配置されたＲＴＩパックと、他のパック位置に配置されたオーディオパックにより構成されている。
【００２４】
図６に示したＡＴＳ−ＰＧＣＩＴ（ＡＴＳプログラム・チェーン・インフォメーション・テーブル）は、図８に詳しく示すように先頭から順に
・オーディオ・タイトルセットＰＧＣＩテーブル・インフォメーション（ＡＴＳ−ＰＧＣＩＴＩ）と、
・ｎ個のオーディオ・タイトルセットＰＧＣＩサーチポインタ（ＡＴＳ−ＰＧＣＩ−ＳＲＰ＃１〜＃ｎ）と、
・図９に詳しく示す複数のＡＴＳ−ＰＧＣＩとにより構成されている。
【００２５】
ＡＴＳ−ＰＧＣＩの各々は、図９に示すように先頭から順に、
・図１０に詳しく示すＡＴＳ−ＰＧＣジェネラル・インフォメーション（ＡＴＳ−ＰＧＣ−ＧＩ）と、
・図１１〜図１４に詳しく示すＡＴＳプログラム・インフォメーション・テーブル（ＡＴＳ−ＰＧＩＴ）と、
・ＡＴＳセル・プレイバック・インフォメーション・テーブル（ＡＴＳ−Ｃ−ＰＢＩＴ）とにより構成されている。
【００２６】
ＡＴＳ−ＰＧＣ−ＧＩは図１０に示すように１６バイト（ＲＢＰ０〜１５）で構成され、先頭から順に
・４バイト（ＲＢＰ０〜３）のＡＴＳ−ＰＧＣコンテンツ（ＡＴＳ−ＰＧＣ−ＣＮＴ）と、
・４バイト（ＲＢＰ４〜７）のＡＴＳ−ＰＧＣプレイバック・タイム（ＡＴＳ−ＰＧＣ−ＰＢ−ＴＭ）と、
・２バイト（ＲＢＰ８、９）の保留領域と、
・２バイト（ＲＢＰ１０、１１）のＡＴＳ−ＰＧＩＴスタートアドレスと、
・２バイト（ＲＢＰ１２、１３）のＡＴＳ−Ｃ−ＰＢＩＴスタートアドレスと、
・２バイト（ＲＢＰ１４、１５）の保留領域とにより構成されている。
【００２７】
図９に示したＡＴＳプログラム・インフォメーション・テーブル（ＡＴＳ−ＰＧＩＴ）は、図１１に詳しく示すようにｎ個のＡＴＳプログラム・インフォメーション（ＡＴＳ−ＰＧＩ）＃１〜＃ｎにより構成されている。
ＡＴＳ−ＰＧＩ＃１〜＃ｎの各々は、図１２に詳しく示すように２０バイト（ＲＢＰ０〜１９）で構成され、先頭から順に
・４バイト（ＲＢＰ０〜３）のＡＴＳ−ＰＧコンテンツ（ＡＴＳ−ＰＧ−ＣＮＴ）と、
・１バイト（ＲＢＰ４）のＡＴＳ−ＰＧのエントリセル番号と、
・１バイト（ＲＢＰ５）の保留領域と、
・４バイト（ＲＢＰ６〜９）の、ＡＴＳ−ＰＧの最初のオーディオセルのスタート・プレゼンテーション・タイム（ＦＡＣ−Ｓ−ＰＴＭ）と、
・４バイト（ＲＢＰ１０〜１３）のＡＴＳ−ＰＧプレイバック・タイムと、
・４バイト（ＲＢＰ１４〜１７）のＡＴＳ−ＰＧポーズ・タイムと、
・１バイト（ＲＢＰ１８）の保留領域（著作権管理データＣＭＩ用）と、
・１バイト（ＲＢＰ１９）の保留領域とにより構成されている。
【００２８】
図９に示したＡＴＳセル・プレイバック・インフォメーション・テーブル（ＡＴＳ−Ｃ−ＰＢＩＴ）は、図１３に詳しく示すようにｎ個のＡＴＳセル・プレイバック・インフォメーション（ＡＴＳ−Ｃ−ＰＢＩ）＃１〜＃ｎにより構成されている。  ＡＴＳ−Ｃ−ＰＢＩ＃１〜＃ｎの各々は、図１４に詳しく示すように１２バイト（ＲＢＰ０〜１１）により構成され、先頭から順に
・１バイト（ＲＢＰ０）のＡＴＳ−Ｃのインデックス番号と、
・１バイト（ＲＢＰ１）のＡＴＳ−Ｃタイプ（ＡＴＳ−Ｃ−ＴＹ）と、
・２バイト（ＲＢＰ２、３）の保留領域と、
・４バイト（ＲＢＰ４〜７）のＡＴＳ−Ｃのスタートアドレスと、
・４バイト（ＲＢＰ８〜１１）のＡＴＳ−Ｃのエンドアドレスとにより構成されている。
【００２９】
図１５はプレーヤ（再生装置）が上記のＡＭＧＩとＡＴＳＩ内の再生制御情報に基づいてオーディオデータを再生する場合のデータ構造を示している。
まず、１つのアルバムはディスクの１面全体のオーディオデータを示し、片面ディスクの場合にはその１面全体であり、両面ディスクの場合には一方の面全体である。すなわち、片面ディスクのオーディオデータは１つのアルバムにより構成され、両面ディスクのオーディオデータは２つのアルバムにより構成される。１つのアルバムは１〜９個のグループ＃１〜＃ｎ（以下、タイトルグループ）により構成され、ボーナス楽曲を含む場合には２〜９個のタイトルグループにより構成される。そして、ボーナス楽曲は全て最後のタイトルグループ＃ｎ内に配置される。この１つのタイトルグループは、プレーヤが連続して再生する際の単位である。
【００３０】
１つのタイトルグループはプレーヤが複数のオーディオタイトル（ＡＴＴ）を連続して再生する際の単位であり、任意の数（図のｉ、ｊ）のＡＴＴにより構成される。１つのタイトルグループ内のＡＴＴの数ｉ、ｊはディスク制作者が自由に選択することができる。このＡＴＴ＃１〜ＡＴＴ＃ｉ、ＡＴＴ＃ｊは、図１に示すＡＴＳ＜１＞〜ＡＴＳ＜ｍ＞内のいずれかのＡＴＴであり、プレーヤにより上記のＡＭＧＩとＡＴＳＩ内の再生制御情報に基づいてサーチされて再生される。ここで、ＡＴＴはオーディオデータを含み、ビデオデータを含まないオーディオ・オンリ・タイトル（ＡＯＴＴ）のみにより構成されているものと、このＡＯＴＴ及びビデオデータを含むオーディオ・ビデオタイトル（ＡＶＴＴ）により構成されているものの２種類がある。なお、図１に示すＤＶＤ−オーディオディスクのＡＴＳと図２０（後述）に示すＤＶＤ−ＡｖｄディスクのＡＴＳはＡＯＴＴのみを含む。また、図２０に示すＤＶＤ−ＡｖｄディスクのＶＴＳはＡＶＴＴのみを含む。
【００３１】
図１６は本発明に適用されるエンコード装置を示している。オリジナルの楽曲、カラオケ音楽、ＢＧＭなどのオーディオ信号ＡはＡ／Ｄ変換器３１によりデジタル信号に変換され、次いで信号処理回路３２に印加される。信号処理回路３２及びメモリ３３はこのデジタルオーディオ信号を、圧縮を行わない場合にはそのままＤＶＤ符号化回路３４に出力し、他方、圧縮を行う場合には圧縮を行ってＤＶＤ符号化回路３４に出力する。また、ビデオ信号Ｖ及び静止画信号ＳＰはＡ／Ｄ変換器３１Ｖによりデジタル信号に変換され、次いで信号処理回路３２に印加される。信号処理回路３２及びメモリ３３はこのデジタル静止画信号をＭＰＥＧフォーマットにエンコードしてＤＶＤ符号化回路３４に出力する。
【００３２】
ＤＶＤ符号化回路３４はこのオーディオデータＡ、ビデオ信号Ｖ及び静止画データＳＰと、制御データ、カラオケの映像（Ｖ）データ、ＭＩＤＩデータ、クイズデータ、パスワードなどを図１、図２０に示すデータ構造にフォーマット化する。このストリームデータはそのまま出力端子ＯＵＴ１を介して出力されたり、変調回路３５により媒体に応じて変調されて出力端子ＯＵＴ２を介して出力される。出力端子ＯＵＴ１を介して出力されたストリームデータは、例えばインターネット、カラオケ通信回線などのネットワークを介して伝送される。
【００３３】
次に、図２１のフローチャートを用いて前記の信号処理回路３２及びＤＶＤ符号化回路３４の動作フローを説明する。  アナログオーディオ信号ＡはＡ／Ｄコンバータ３１により十分高いサンプリング周波数（サンプリング周期Δｔ）、例えば１９２ｋＨｚでサンプリングされて、例えば２４ビットの高分解能のＰＣＭ信号に変換される。続く信号処理回路３２では、圧縮を行わない場合には、Ａ／Ｄコンバータ３１により変換されたＰＣＭデータがそのままＤＶＤフォーマット化部３４に印加される。これに対し、圧縮を行う場合には、Ａ／Ｄコンバータ３１により変換されたＰＣＭデータがその符号化モードに応じて信号処理回路３２により圧縮され、次いでＤＶＤフォーマット化部３４に印加される（ステップＳ５、Ｓ６）。信号処理回路３２ではまた、マルチチャンネルの場合、２つのグループ「１」と「２」に分かれて各チャネルがビットシフトされる。
【００３４】
また、ビデオ信号ＶはＡ／Ｄ変換器３１Ｖによりデジタル信号に変換され、次いでこのデジタルビデオ信号が信号処理回路３２内のエンコーダによりＭＰＥＧフォーマットにエンコードされ、ＤＶＤフォーマット化部３４に印加される（ステップＳ１、Ｓ２）。また、静止画信号ＳＰもＡ／Ｄ変換器３１によりデジタル信号に変換され、次いでこのデジタル静止画信号ＳＰが信号処理回路３２内の圧縮エンコーダによりＭＰＥＧフォーマットにエンコードされ、ＤＶＤフォーマット化部３４に印加される（ステップＳ３、Ｓ４）。また、著作権情報とリアルタイムテキスト情報（ＲＴＩ）、カラオケＶデータ、ＭＩＤＩデータ、パスワード等が図示しないインタフェース（Ｉ／Ｆ）４０を介して（ステップＳ７、Ｓ８）、また、文字情報とディスク識別子ＥＸ等がＤＶＤフォーマット化部３４に印加される（ステップＳ９、Ｓ１０）。
【００３５】
そして、ＤＶＤフォーマット化部３４は、前述したようなフォーマットにパッキングする（ステップＳ１１）。このＤＶＤフォーマット化部３４によりフォーマット化されたデータは、変調回路３５によりディスクに応じた変調方式で変調されてこの変調データに基づいてディスクが製造されたり、図示しない記録部にいったん記録されたり、図示しない通信Ｉ／Ｆを介して伝送される（ステップＳ１２）。
【００３６】
また、前記のインターネットは介してデータを伝送する場合には、例えば、図２３に示されるように、通信Ｉ／Ｆの送信バッファに蓄えられている送信データを所定長に分割してパケット化し（ステップＳ４１）、次いでパケットの先頭には宛て先アドレスを含むヘッダを付与し（ステップＳ４２）、次いでこれをネットワーク上に出力されて伝送される（ステップＳ４３）。
【００３７】
次に、図１７を参照してデコーダ（再生装置）について説明する。ここで、上記のようなボーナス情報を再生する場合には、ディスクを購入したユーザは原音楽信号について無料で再生することができるが、ボーナス情報については適正な対価を支払ってパスワードを入力しなければならないような利用方法がある。他の利用方法として、対価は無料としてクイズプログラムを記録してこれをデコーダ側で表示し、正しい解答が入力された場合にボーナス情報を再生する利用形態も考えられる。また、楽曲をグループ分けしてグループ毎に再生するためのプログラムを記録したディスクの場合には、ユーザは個々のプログラムに対して対価を支払って、又は無料でパスワードを入力する。
【００３８】
図１７において、ディスクから読み取られた信号はまず、入力端子ＩＮ１を介して供給され、エンコーダ側の変調回路３５の変調方式に応じて復調回路４１により復調され、次いでＤＶＤ復号回路４２により各データに分離される。ＤＶＤ復号回路４２により分離されたオーディオ信号は、信号処理回路４３（及びメモリ４４）内のオーディオ信号処理回路（不図示）により処理されてＤ／Ａコンバータ４５とＬＰＦ（ローパスフィルタ）５６に印加される。Ｄ／Ａコンバータ４５では、エンコーダ側の元のサンプリング周波数でアナログオーディオ信号に変換されてアナログ出力端子５５を介して出力される。また、ＬＰＦ５６ではこの入力データが例えば１／４の帯域（４８ｋＨｚ）に制限され、デジタルデータとして出力端子５３を介して出力される。ＤＶＤ復号回路４２により分離されたビデオデータＶと静止画データＳＰは、信号処理回路４３内の不図示のビデオプロセッサとビデオ出力端子６４を介して外部のディスプレイに出力され、ＤＶＤ復号回路４２により分離されたＭＩＤＩコードは、信号処理回路４３内の不図示のＭＩＤＩプロセッサとＭＩＤＩ出力端子６５を介して外部の電子楽器に出力される。
【００３９】
また、操作部６２は各記録面毎にグループ番号やインタラクティブ入力信号により再生箇所を指定することができる。この場合、帯域制限を行ったり、帯域制限を行うことなく出力することができ、また、複数のシーンから適した音声や映像を選択してストリー化（ハイライト化）して再生するようにしてもよい。なお、図１７において、ネットワークを介して伝送されて入力端子ＩＮ２を介して供給されても同様にデコードされて再生される。
【００４０】
前述の図２３に対応してデータがネットワークを介して伝送されてくる場合には、例えば、図２４に示すように、ネットワークから受信したパケットからヘッダを除去し（ステップＳ５１）、次いで受信データを復元し（ステップＳ５２）
、次いでこれをメモリに転送する（ステップＳ５３）。
【００４１】
次に、図２２により前記ＤＶＤ復号回路４２及び信号処理回路４３の動作フローにつき説明する。  まず、ディスクにアクセスして記録データを読み出し（ステップＳ２０）、次いで各分離ステップＳ２１〜Ｓ２９においてビデオ信号と、静止画信号と、オーディオ信号と、著作権情報及びリアルタイム情報（ＲＴＩ）と、文字情報及びディスク識別子（ＥＸ）が分離される。次いで各デコードステップＳ２２〜Ｓ３０においてそれぞれ各分離データがデコードされ、次いで同期再生される（ステップＳ３１、Ｓ３２）。
【００４２】
ここで、静止画ＳＰを再生する処理には次の３通りがある。
１）静止画ＳＰが得られると、オーディオ信号Ａの再生を中断してミュートする。
２）静止画ＳＰが得られると、時間制御信号に基づいてオーディオ信号Ａと共に再生する。
３）静止画ＳＰが得られると、ユーザに指示されたページめくりコマンドに基づいてページめくり再生する。このときオーディオ信号Ａはそのまま再生する。
【００４３】
静止画を音声に同期させる必要がある場合は、リアルタイムの同期のための時間制御信号は、ＡＴＳＩに追加して設けるスチルピクチャ・コントロール・インフォメーション・テーブルＳＰＣＩＴの下のタイム・コントロール・データ・インフォメーション（ＳＰＣＩＴ−ＴＣＤＩ）に置くようにする。
【００４４】
また、さらにページめくりコマンドを収めたスチルピクチャ・ページ制御コマンド・インフォメーション（ＳＰＰＩ）をＳＰＣＩＴの下に置くようにする。このようにＳＰＣＩＴは、一般情報のＳＰＣＩＴジェネラル・インフォメーション（ＳＰＣＩＴ−ＧＩ）と、タイム・コントロール・データ・インフォメーション（ＳＰＣＩＴ−ＴＣＤＩ）と、スチルピクチャ・ページ制御コマンド・インフォメーション（ＳＰＰＩ）とから構成される。
【００４５】
また、ここで、静止画ＳＰのリアルタイム情報ＲＴＩのＳＰＣＴパックのスチル・ピクチャ・データの中に、スチルピクチャのページ制御するためのサイド情報を含むようにすることができる。このサイド情報により規定されたページ制御データをＳＰＰＩを参照しながら解釈して行うようにする。
【００４６】
なお、スチル・ピクチャ・データに収めるには容量に余裕がない場合は、ＲＴＩパックのＲＴＩデータの中に、上記したスチルピクチャのページ制御するためのサイド情報を含むようにすることも許容できる。
【００４７】
次に、図１８、図１９を参照して制御部６３の再生処理について説明する。まず、再生に際してはグループ番号を含む所定のメニューが表示され、次に、ステップＳ１において操作部６２を介して入力したグループ番号を判別して、最終グループ番号が選択された場合等、ボーナスプログラムが選択された場合にはステップＳ２からステップＳ３に進む。他の場合にはステップＳ２からステップＳ９に進んで指示に応じた再生を行う。ステップＳ３では図１に示したパスワードをＡＭＧＩから読み出し、次いでパスワード＝００００か否か、すなわちボーナス情報が収納されているか否か判断する（ステップＳ４）。そして、ボーナス情報が収納されていない場合にはその旨を表示部６１に表示し（ステップＳ５）、次いでステップＳ９に進む。
【００４８】
他方、ステップＳ４においてボーナス情報が含まれている場合には、パスワードの入力を待つ（ステップＳ６）。パスワードが入力すると正しいか否かを判断し（ステップＳ７）、正しい場合にはステップＳ８に進み、正しくない場合にはステップＳ９に進む。ステップＳ８ではボーナスメニューを表示し、次いで指示に応じた再生を行う（ステップＳ９）。
【００４９】
図１９はステップＳ９の処理を詳しく示している。まず、図２〜図５に示したＡＭＧＩ内のＡＯＴＴ−ＳＲＰＴ（オーディオ・タイトル・サーチ・ポインタ・テーブル）を参照して（ステップＳ１１）、図５に示したＡＯＴＴ−ＧＲＮ（グループ番号）をサーチして、指定グループに属するオーディオタイトル（ＡＴＴ）をＡＴＳと共にリストアップする（ステップＳ１２）。
【００５０】
ここで、図４、図５に示したＡＴＴ−ＣＡＴ（オーディオ・タイトル・カテゴリ）のビットｂ３〜ｂ０によりグループ番号が解り、また、図４に示したＡＯＴＴ−ＰＧ−ＮｓによりＡＯＴＴ内のプログラム数（＝トラック数）が解り、また、ＡＴＳＮによりＡＴＳ番号が解り、また、ＡＴＳ−ＴＴＮによりＡＴＳタイトル番号が解る。したがって、図１５に示すグループ番号とＡＴＳ番号までが解る。また、このリストアップにより指定グループに属する最後のオーディオタイトル番号Ｉmaxが決まる。次いでオーディオタイトル番号ＡＴＴｉ＝１にセットする（ステップＳ１３）。
【００５１】
次いで図８〜図１４に示したＡＴＳＩ内のＡＴＳ−ＰＧＣＩ（ＡＴＳプログラム・チェーン・インフォメーション）を参照して（ステップＳ１４）、ＡＴＴｉのアドレス（すなわちＡＴＳセルのスタートアドレスとエンドアドレス）をサーチしてこれによりＡＴＴｉを再生する（ステップＳ１５）。ここで、図１２に示すＡＴＳ−ＰＧＩ内のＡＴＳ−ＰＧ−ＣＮＴ（コンテンツ）により図１５に示すタイトル番号が解り、また、ＡＴＳ−ＰＧエントリセル番号により図１５に示すインデックスが解る。次いでオーディオタイトル番号ＡＴＴｉをインクリメントし（ステップＳ１６）、次いでステップＳ１７においてｉ＞Ｉmaxでない場合にはステップＳ１４に戻り、他方、ｉ＞Ｉmaxの場合にはこのグループ再生を終了する。
【００５２】
次に、図２５を用いて情報記録媒体がＤＶＤディスクである場合の具体的再生装置につき説明する。
同図は、静止画を音声に同期させるため時間情報、ページめくりコマンドが記録されたＤＶＤオーディオディスクや、ＤＶＤビデオディスクなどのディスク１１０に記録されている信号を再生するための装置を示している。ディスクドライブ装置１１１はドライブ制御回路１１２により制御され、ディスク１１０はディスクドライブ装置１１１により駆動されて記録信号が読み出される。この信号は復調回路／誤り訂正回路１１３によりＥＦＭ復調され、次いで誤り訂正された後、制御データとＤＳＩデータを除くストリーム信号は書き込み制御回路１１５によりトラックバッファ１１４に書き込まれ、また、制御データとＤＳＩデータはそれぞれシステムバッファ１１７とＤＳＩバッファ１２２に書き込まれる。ＤＳＩバッファ１２２に書き込まれたデータはＤＳＩデコーダ１５１によりデコードされて出力される。
【００５３】
システムコントローラ１３２はシステムバッファ１１７に書き込まれた制御データに基づいて再生制御を行う。システムコントローラ１３２には再生制御を行うために操作部１３０と、表示部１３１と、リード／ライト可能なシステムパラメータメモリ１３３と、再生専用のシステムパラメータメモリ１３４と、リード／ライト可能な汎用パラメータメモリ１３５とシステムタイマ１３６が接続されている。
【００５４】
トラックバッファ１１４に書き込まれたストリーム信号は読み出し制御回路１１６により読み出され、次いでデマルチプレクサ１２８により静止画パックと、ＲＴＩパックと、ＶＢＶパックと、サブピクチャパックと、ＶＢＩパックと、オーディオパックに分離され、各パックがそれぞれ静止画バッファ１４７と、ＲＴＩバッファ１４８と、ＶＢＶバッファ１１８と、サブピクチャバッファ１１９と、ＶＢＩバッファ１２０と、オーディオバッファ１２１に蓄積される。そして、静止画パックとＲＴＩパックはそれぞれ静止画デコーダ１４９、ＲＴＩデコーダ１５０によりデコードされて出力され、また、ＲＴＩデコーダ１５０によりデコードされたＲＴＩデータはバッファ１５０’に蓄積される。
【００５５】
ＶＢＶパックはビデオデコーダ１２３によりデコードされ、次いでレターボックス変換器１２６を介して加算器１２７に送られる。また、サブピクチャパック、ＶＢＩパックはそれぞれサブピクチャデコーダ１２４、ＶＢＩデコーダ１２５によりデコードされて加算器１２７に送られ、加算器１２７ではこれらのビデオ信号が合成される。また、オーディオパックはオーディオデコーダ１２９に送られ、その中のフォーマット分解器１４１、チャネル分離器１４２及びＤ／Ａ変換器１４４、１４５によりアナログ信号に変換されるようになっている。
【００５６】
図２０は情報記録媒体の他の例として、ＤＶＤ−Ａｖｄ（オーディオ＋ＡＶデータ）ディスクのフォーマットを示し、このフォーマットは概略的に、ＤＶＤ−ビデオファイルとＤＶＤ−オーディオファイルにより構成されている。ＤＶＤ−ビデオファイルでは、ＶＴＳ−Ｄ（ビデオ・タイトルセット−ディレクトリ）の下に、ビデオマネージャ（ＶＭＧ）と、ビデオ及びオーディオのビデオマネージャメニュー（ＶＭＧＭ）と、ＶＭＧ内のＶＭＧＩにより管理されるＶＴＳ＜１＞、ＶＴＳ＜２＞を含む。ＶＴＳ＜１＞、ＶＴＳ＜２＞はともにビデオデータとオーディオデータを含む。このＶＴＳの構成はディスク制作者の自由である。
【００５７】
他方、ＤＶＤ−オーディオファイルは、図１に示す構成と同じであるが、この例では、ＡＴＳ＜１＞、ＡＴＳ＜ｍ＞のオーディオデータは、それぞれＶＴＳ側のＶＴＳ＜１＞、ＶＴＳ＜２＞内のオーディオデータと対を成し、かつＡＭＧ内のＡＭＧＩにより管理される。また、他のＡＴＳ＜２＞などのオーディオデータは、ＶＴＳ側とは対をなさず、同じくＡＭＧ内のＡＭＧＩにより管理される。上記各実施の形態はデジタルディスクの場合を例にとって説明したが、これに限らず本発明はメモリカードなどの記録媒体にも適用可能である。  また、図２６は情報記録媒体の更に他の例を示し、特に、この例ではＶＴＳ＜１＞が非ボーナス楽曲を含み、ＶＴＳ＜２＞がボーナス楽曲を含むことを示していると共に、ＡＴＳ＜１＞〜ＡＴＳ＜ｋ＞が非ボーナス楽曲から成り、ＡＴＳ＜ｋ＋１＞〜ＡＴＳ＜ｍ＞がボーナス楽曲から成ることを示している。
【００５８】
なお、上記実施形態では、デコード処理などをハードウエアにより行う場合について説明したが、ＰＣ上のアプリケーション（ソフトウエア）により実現することもできる。この場合、デコードプログラムをＣＤ−ＲＯＭなどの記録媒体に記録してユーザに配布したり、ネットワークを介してユーザパソコンに配布するようにしてもよい。また、コンテンツ情報をＤＶＤなどのディスク媒体を介して伝送するのみならず、インターネットやカラオケ通信回線などの通信回線を介して伝送して、再生側ではハードウエアやＰＣ上のアプリケーションによりデコードする場合にも適用することができる。
【００６０】
【発明の効果】
以上説明したように本発明によれば、ボーナス楽曲が含まれているか否かを示すデータが含まれると共に楽曲を含むデータの単位を１つのオーディオタイトルとし、再生装置が複数のオーディオタイトルにアクセスして楽曲を再生する単位を１つのグループとして、ボーナス楽曲を含むオーディオタイトルを１つのグループに配置したので、オリジナル楽曲とボーナス楽曲を記録したり、オリジナルの楽曲を含む１以上の楽曲をグループ分けしてディスク上に記録してもオリジナルの楽曲を通常のディスクと同様な高速で再生することができる。また、ボーナス楽曲を最終のグループに配置したので管理が煩雑になることを防ぐことができる。
【図面の簡単な説明】
【図１】本発明が適用される情記録媒体の第１の実施形態としてＤＶＤ−オーディオディスクのフォーマットを示す説明図である。
【図２】図１のＡＭＧＩ（オーディオ・マネージャ・インフォメーション）とＡＯＴＴ−ＳＲＰＴ（オーディオ・オンリ・タイトル・サーチ・ポインタ・テーブル）のフォーマットを詳しく示す説明図である。
【図３】図２のＡＯＴＴ−ＳＲＰＴＩ（オーディオ・オンリ・タイトル・サーチ・ポインタ・テーブル・インフォメーション）のフォーマットを詳しく示す説明図である。
【図４】図２のＡＯＴＴ−ＳＲＰ（オーディオ・オンリ・タイトル・サーチ・ポインタ）のフォーマットを詳しく示す説明図である。
【図５】図４のＡＴＴ−ＣＡＴ（オーディオ・タイトル・カテゴリ）のフォーマットを詳しく示す説明図である。
【図６】図１のＡＴＳ（オーディオ・タイトル・セット）とＡＴＳＩ（オーディオ・タイトル・セット・インフォメーション）のフォーマットを詳しく示す説明図である。
【図７】図６のＡＯＴＴ−ＡＯＢＳ（オーディオ・オンリ・タイトル用オーディオ・オブジェクト・セット）のフォーマットを詳しく示す説明図である。
【図８】図６のＡＴＳ−ＰＧＣＩＴ（ＡＴＳプログラム・チェーン・インフォメーション・テーブル）のフォーマットを詳しく示す説明図である。
【図９】図８のＡＴＳ−ＰＧＣＩ（ＡＴＳプログラム・チェーン・インフォメーション）のフォーマットを詳しく示す説明図である。
【図１０】図９のＡＴＳ−ＰＧＣ−ＧＩ（ＡＴＳ−ＰＧＣジェネラル・インフォメーション）のフォーマットを詳しく示す説明図である。
【図１１】図９のＡＴＳ−ＰＧＩＴ（ＡＴＳプログラム・インフォメーション・テーブル）のフォーマットを詳しく示す説明図である。
【図１２】図１１のＡＴＳ−ＰＧＩ（ＡＴＳプログラム・インフォメーション）のフォーマットを詳しく示す説明図である。
【図１３】図９のＡＴＳ−Ｃ−ＰＢＩＴ（ＡＴＳセル・プレイバック・インフォメーション・テーブル）のフォーマットを詳しく示す説明図である。
【図１４】図１３のＡＴＳ−Ｃ−ＰＢＩ（ＡＴＳセル・プレイバック・インフォメーション）のフォーマットを詳しく示す説明図である。
【図１５】再生側から見た楽曲のデータ構造を示す説明図である。
【図１６】本発明に適用されるエンコード装置を示すブロック図である。
【図１７】本発明に適用される再生装置を示すブロック図である。
【図１８】再生処理を説明するためのフローチャートである。
【図１９】図１８のグループ再生処理を詳しく説明するためのフローチャートである。
【図２０】本発明が適用される情報記録媒体の第２の実施形態としてＤＶＤ−Ａｖｄディスクのフォーマットを示す説明図である。
【図２１】信号処理回路３２及びＤＶＤ符号化回路３４の動作フロー図である。
【図２２】ＤＶＤ復号回路４２及び信号処理回路４３の動作フロー図である。
【図２３】データの伝送時の処理手順を示すフローチャートである。
【図２４】データの受信時の処理手順を示すフローチャートである。
【図２５】情報記録媒体がＤＶＤディスクである場合の具体的再生装置の概略ブロック図である。
【図２６】情報記録媒体の他の例を示す図である。
【符号の説明】
３２    信号処理回路
３４    ＤＶＤ符号化回路
３５    変調回路
６１    表示部
６２    操作部（入力手段）
６３    制御部（再生手段）
【図１】
0003726812.tif 000002
【図２】
0003726812.tif 000003
【図３】
0003726812.tif 000004
【図４】
0003726812.tif 000005
【図５】
0003726812.tif 000006
【図６】
0003726812.tif 000007
【図７】
0003726812.tif 000008
【図８】
0003726812.tif 000009
【図９】
0003726812.tif 000010
【図１０】
0003726812.tif 000011
【図１１】
0003726812.tif 000012
【図１２】
0003726812.tif 000013
【図１３】
0003726812.tif 000014
【図１４】
0003726812.tif 000015
【図１５】
0003726812.tif 000016
【図１６】
0003726812.tif 000017
【図１７】
0003726812.tif 000018
【図１８】
0003726812.tif 000019
【図１９】
0003726812.tif 000020
【図２０】
0003726812.tif 000021
【図２１】
0003726812.tif 000022
【図２２】
0003726812.tif 000023
【図２３】
0003726812.tif 000024
【図２４】
0003726812.tif 000025
【図２５】
0003726812.tif 000026
【図２６】
0003726812.tif 000027